(57)【要約】【課題】複数のユーザが同時に１つの機器を操作する場合、時間的に優先度の高いユーザの操作が実行されるため、別のユーザが利用できない、あるいは、優先選択キーを選択して優先権を持ったユーザに勝手に操作されてしまう問題がある。【解決方法】ＡＶデータを受信する側は、ＡＶデータを表示する表示装置１０ａと、前記表示装置と制御線で接続され、ＡＶデータを出力する受信装置２０ａとからなり，ＡＶデータを送信する側は、受信装置２０ａとネットワーク３で接続され、データのやり取りをする送信装置３０と、送信装置と制御線４で接続され、ＡＶデータを出力する被制御機器４０とからなるネットワーク機器制御システムを提供する。【選択図】図１
2004199454.tif 000002
【特許請求の範囲】
【請求項１】
複数のユーザがネットワークを介して１つの機器を制御するシステムであって、ネットワークに接続される複数のＡＶデータを受信する受信手段と、ＡＶデータ受信手段にデータを送受信する送信手段を有する被制御機器を備え、
前記ＡＶデータの受信手段は、ＡＶデータを表示する表示装置と、前記表示装置と制御線で接続され、ＡＶデータを出力する受信装置とからなり、
ＡＶデータを送信する送信手段は、前記受信装置とネットワークで接続され、データのやり取りをする送信装置と、前記送信装置と制御線で接続され、ＡＶデータを出力する被制御機器とからなることを特徴とするネットワーク機器制御システム。
【請求項２】
前記受信装置は、リモートコントローラから送信される赤外線を受信して、対応する制御コマンドに変換するリモコン受光手段と、受信装置に必要な情報を記録する受信装置情報記録手段と、前記制御コマンドおよび前記受信装置情報を管理する制御データ管理手段と、前記制御データ管理手段の情報に基づきＧＵＩ画面を生成するＧＵＩ画面合成手段と、ネットワークに接続され、前記送信装置とデータのやりとりをするネットワーク送受信手段とを備えることを特徴とする請求項１記載のネットワーク機器制御システム。
【請求項３】
前記受信装置情報記録手段に記録される情報は、受信装置を使用しているユーザの情報および、前記ユーザが使用または視聴している被制御機器の情報を含むことを特徴とする請求項２記載のネットワーク機器制御システム。
【請求項４】
前記受信装置情報記録手段に格納されているユーザの情報は、ユーザ名、ユーザＩＤ、使用権レベル、視聴権レベルを含むことを特徴とする請求項３記載のネットワーク機器制御システム。
【請求項５】
前記受信装置情報記録手段に格納されている被制御機器の情報は、被制御機器名、被制御機器ＩＤ、機器使用権の有無、機器視聴権の有無を含むことを特徴とする請求項３記載のネットワーク機器制御システム。
【請求項６】
前記送信装置は、ネットワークを介して前記受信装置とデータを送受信するネットワーク送受信手段と、前記被制御機器からＡＶデータを入力するＡＶデータ入力手段と、前記被制御機器と制御データを入出力する制御データ入出力手段と、前記ネットワーク送受信手段を介して制御データを送受信する制御データ送受信手段と、前記ネットワーク送受信手段を介してＡＶデータを送信するＡＶデータ送信手段と、送信装置に必要な情報を記録する送信装置情報記録手段と、前記送信装置情報記録手段に記録されている情報およびネットワークから送受信される制御データを管理する制御データ管理手段を備えることを特徴とする請求項１記載のネットワーク機器制御システム。
【請求項７】
前記送信装置情報記録手段は、被制御機器の情報、および被制御機器を使用しているユーザの情報、および被制御機器から伝送されるＡＶデータを視聴しているユーザの情報が記録されていることを特徴とする請求項６記載のネットワーク機器制御システム。
【請求項８】
前記送信装置情報記録手段に格納されているユーザの情報は、ユーザ名、ユーザＩＤ、使用権レベル、視聴権レベルを含むことを特徴とする請求項７記載のネットワーク機器制御システム。
【請求項９】
前記送信装置情報記録手段に格納されている被制御機器の情報は、被制御機器名、被制御機器ＩＤを含むことを特徴とする請求項７記載のネットワーク機器制御システム。
【請求項１０】
前記被制御機器には、機器情報を記録する機器情報記録手段と、前記送信装置と制御データの入出力を行う制御データ入出力手段と、前記機器情報および制御データを管理する制御データ管理手段と、ＡＶデータを記録するＡＶデータ記録手段と、前記ＡＶデータのうち特定のＡＶデータを再生するＡＶデータ再生手段と、前記再生されたＡＶデータを前記送信装置へ出力するＡＶデータ出力手段とを備えることを特徴とする請求項１記載のネットワーク機器制御システム。
【請求項１１】
前記機器情報記録手段に格納されている機器情報は、被制御機器名、被制御機器ＩＤを含むことを特徴とする請求１０記載のネットワーク機器制御システム。
【請求項１２】
前記ネットワークが無線で構成されることを特徴とする請求項１記載のネットワーク機器制御システム。
【請求項１３】
前記ネットワークがＩＥＥＥ１３９４高速シリアルバスであることを特徴とする請求項１記載のネットワーク機器制御システム。
【請求項１４】
前記制御線がＩＥＥＥ１３９４高速シリアルバスであることを特徴とする請求項１記載のネットワーク機器制御システム。
【発明の詳細な説明】
【０００１】
【発明の属する技術分野】
本発明は、複数のユーザがネットワークを介して１つの機器を制御するシステムに関する。
【０００２】
【従来の技術】
家庭内において、各部屋にある機器を有線や無線のネットワークで繋ぎ、複数のユーザが各部屋から特定の機器を利用することが可能となってきている。
しかしながら、１つの機器を複数のユーザで利用する場合、あるユーザが機器を用いている最中に、別のユーザが突然その機器を制御してしまうという問題があった。
この問題を解決するために、例えば、特許文献１では、各部屋に操作装置を設け、前記操作装置において、リモコンから受信した制御データに、自装置に割り当てられたＩＤデータを付加した制御データを作成し、別の部屋にある被制御機器を制御する制御装置に送信する。制御装置では、制御データに含まれるＩＤデータを識別し、最初に操作を開始したユーザ以外の者による操作は無効とすることにより、最初に操作を開始したユーザに不都合がきたさないようにしている。また、予め登録されたＩＤ以外のＩＤを持つ操作装置からの操作指令を無効にすることなどが提案されている。
また、特許文献２では、ユーザが使用するリモコンに優先選択できる選択キーを設け、複数のユーザが同時にＡＶ情報送出要求コマンドを送信しても、コマンドを受信する受信機で優先権があるコマンドを優先的に実行することで、二人のユーザの要求が重なったときに時間的優先権に基づく操作権を無視する優先権選択機能が提案されている。
【０００３】
【特許文献１】
特開２０００−１９７１６４号公報
【特許文献２】
特開平４−１８８３１号公報
【０００４】
【発明が解決しようとする課題】
しかしながら、従来の技術では、複数のユーザが同時に１つの機器を操作して混乱することを解決しているが、時間的に優先度の高いユーザの操作が実行されるため、別のユーザが全く利用できなかったり、あるいは、優先選択キーを選択して優先権を持ったユーザに勝手に操作されたりしてしまうという問題が依然としてある。
【０００５】
上記の問題点を鑑みて、本発明は、あるユーザが機器を操作している場合でも、ユーザ間の交渉により、機器の使用権を別のユーザが取得できる、また、既に機器を操作しているユーザがいる場合において、使用中のユーザの設定によっては、再生中のＡＶデータを別のユーザが視聴できることを可能としている。
【０００６】
【発明が解決するための手段】
上記課題を解決するため、本発明は、複数のＡＶ機器がネットワークに接続され、１つの被制御機器を複数のユーザが利用し、ＡＶデータ（映像・音声）を視聴するシステムである。そして、ＡＶデータを受信する側は、ＡＶデータを表示する表示装置と、前記表示装置と制御線で接続され、ＡＶデータを出力する受信装置とからなり、ＡＶデータを送信する側は、前記受信装置とネットワークで接続され、データのやり取りをする送信装置と、前記送信装置と制御線で接続され、ＡＶデータを出力する被制御機器とからなることを特徴としている。
この構成により、被制御機器から複数の表示装置にＡＶデータを送信する際の機器制御管理を、送信装置で一元的に行うことができる。
【０００７】
本発明は、受信装置に、リモートコントローラ（以下リモコンという）から送信された赤外線を受信して、対応する制御コマンドに変換するリモコン受光手段と、受信装置に必要な情報を記録する受信装置情報記録手段と、前記制御コマンドおよび前記受信装置情報を管理する制御データ管理手段と、前記制御データ管理手段の情報に基づきＧＵＩ画面を生成するＧＵＩ画面合成手段と、外部のネットワークに接続され、前記送信装置とデータのやりとりをするネットワーク送受信手段とを備えることを特徴とした。
この構成により、ユーザはリモコンを使って、ＧＵＩ画面を見ながら容易に機器を選択することができる。
【０００８】
本発明は、受信装置情報記録手段に記録されている情報として、受信装置を使用しているユーザの情報および、前記ユーザが使用または視聴している被制御機器の情報を含むことを特徴としている。
この構成により、複数のユーザが同じ機器を使用する際の識別情報として利用できる。
【０００９】
本発明は受信装置情報記録手段に格納されているユーザの情報として、ユーザ名、ユーザＩＤ、使用権レベル、視聴権レベルを含むことを特徴とした。
この構成により、ユーザの好みに応じた木目細かい機器制御が可能となる。
【００１０】
本発明は、受信装置情報記録手段に格納されている被制御機器の情報として、被制御機器名、被制御機器ＩＤ、機器使用権の有無、機器視聴権の有無を含むことを特徴とした。
この構成により、ユーザは使用中の機器の情報を木目細かく知ることができる。
【００１１】
本発明は、送信装置に、前記ネットワークよりデータを送受信するネットワーク送受信手段と、前記被制御機器からＡＶデータを入力するＡＶデータ入力手段と、前記被制御機器と制御データを入出力する制御データ入出力手段と、前記ネットワーク送受信手段を介して制御データを送受信する制御データ送受信手段と、前記ネットワーク送受信手段を介してＡＶデータを送信するＡＶデータ送信手段と、送信装置に必要な情報を記録する送信装置情報記録手段と、前記送信装置情報記録手段に記録されている情報およびネットワークから送受信される制御データを管理する制御データ管理手段を備えることを特徴とした。
この構成により、送信装置は送信機器情報記録手段に記録されている情報を基に、ＡＶデータの送出を許可したり、拒絶したりする処理を一元管理でき、ネットワークのトラフィックを減少させることができる。
【００１２】
本発明は、送信装置情報記録手段に、被制御機器の情報、および被制御機器を使用しているユーザの情報、および被制御機器から伝送されるＡＶデータを視聴しているユーザの情報が記録されていることを特徴とした。
この構成により、ユーザの情報に応じた機器制御が可能になる。
【００１３】
本発明は、送信装置情報記録手段に格納されているユーザの情報として、ユーザ名、ユーザＩＤ、使用権のレベル、視聴権のレベルを含むことを特徴とした。
この構成により、ユーザの好みに応じた木目細かい機器制御が可能になる。
本発明は、送信装置情報記録手段に格納されている被制御機器の情報として、被制御機器名、被制御機器ＩＤを含むことを特徴とした。
この構成により、被制御機器が複数接続されている場合でも、機器の識別が可能になる。
【００１４】
本発明は、被制御機器に、機器情報を記録する機器情報記録手段と、前記送信装置と制御データの入出力を行う制御データ入出力手段と、前記機器情報および制御データを管理する制御データ管理手段と、ＡＶデータを記録するＡＶデータ記録手段と、前記ＡＶデータのうち特定のＡＶデータを再生ＡＶデータ再生手段と、前記再生されたＡＶデータを前記送信装置へ出力するＡＶデータ出力手段とを備えることを特徴とした。
この構成により、機器の特定とＡＶデータの送出ができる。
【００１５】
本発明は、機器情報記録手段に格納されている機器情報として、被制御機器名、被制御機器ＩＤを含むことを特徴とした。
この構成により、機器の特定が容易にできる。
【００１６】
本発明は、ネットワークが無線で構成されることを特徴とした。
この構成により、ユーザ（部屋）間を有線のケーブルで繋ぐ必要がなく、簡単にシステムを構築できる。
本発明は、ネットワークがＩＥＥＥ１３９４高速シリアルバスであることを特徴とした。
この構成により、大量のＡＶデータの伝送が可能となる。
本発明は、制御線がＩＥＥＥ１３９４高速シリアルバスであることを特徴とした。
この構成により、制御線が１本ですみ配線が容易となる。
【００１７】
【発明の実施の形態】
以下、図面に基づいて本発明の実施の形態を説明する。
図１は、本発明における実施の形態の構成を表すシステム構成図である。このシステムは、例えば、ｒｏｏｍＡからｒｏｏｍＤで構成され、ｒｏｏｍＤに制御対象の被制御機器４０が存在し、ｒｏｏｍＤとは壁によって隔てられたｒｏｏｍＡ，ｒｏｏｍＢおよびｒｏｏｍＣが存在する構成となっている。
ｒｏｏｍＡ，ｒｏｏｍＢおよびｒｏｏｍＣも壁によって隔てられており、それぞれのｒｏｏｍにはｒｏｏｍＤの被制御機器４０を制御することができる受信装置２０ａ〜２０ｃが配設されている。なお、被制御機器４０は衛星放送用チューナやビデオデッキなどのＡＶデータのソースであるとする。
ｒｏｏｍＡ，ｒｏｏｍＢおよびｒｏｏｍＣにはそれぞれ赤外線１を送出することができるリモコン２ａ〜２ｃがあり、リモコン２ａ〜２ｃは、受信装置２０ａ〜２０ｃへ制御データを送出する。受信装置２０ａ〜２０ｃは、リモコン２ａ〜２ｃから送出される赤外線１を受信したとき、ネットワーク３を通じて、ｒｏｏｍＤにある送信装置３０に制御データが伝送され、制御線４を通じて被制御機器４０に伝送される。被制御機器４０のＡＶデータは、制御線４を通じて送信装置３０に伝送され、送信装置３０からネットワーク３を通じて、ｒｏｏｍＡ，ｒｏｏｍＢおよびｒｏｏｍＣのいずれかの受信機、あるいはすべての受信機２０に送信される。
【００１８】
受信機２０で受信したＡＶデータは表示装置１０で表示される。
ここで、ネットワーク３は無線、あるいはＩＥＥＥ１３９４高速シリアルバスで構成される。ネットワーク３を無線とすると（部屋）間を有線のケーブルで繋ぐ必要がなく、ＩＥＥＥ１３９４高速シリアルバスとすると、大量のＡＶデータの伝送が可能となる。
また制御線４をＩＥＥＥ１３９４高速シリアルバスとすることにより、制御線４は１本ですみ配線が簡素化される。
【００１９】
次に、各ｒｏｏｍの表示装置１０および受信装置２０の構成を説明する。・・図２参照
図２は、各ｒｏｏｍの表示装置１０および受信装置２０の構成を説明したブロック図である。
最初に、表示装置１０を説明する。
受信装置２０から出力されたＡＶデータはＡＶデータ入力部１１に入力される。前記ＡＶデータはＡＶデータ表示部１２に表示される。
【００２０】
次に、受信装置２０について詳細に説明する。
ユーザが操作するリモコン２から送信された赤外線１を受信したリモコン受光部２１は、赤外線１を対応する制御コマンドに変換する。この制御コマンドは制御データ管理部２２に送られる。
制御データ管理部２２は、受信装置情報記録部２３へ入力データの書き込みを行う。また、受信装置情報記録部２３から必要なデータの読み出しを行い、データを制御コマンドに付加して制御データとして制御データ送受信部２６に送る。また、制御データ送受信部２６から制御データを受け取った場合、受信装置情報記録部２３へ必要なデータの書き込みを行う。いずれの場合も、必要に応じてＧＵＩ画面合成部２４へ情報を送る。
【００２１】
受信装置情報記録部２３に記録されているデータを図４に示す。
受信装置情報記録部２３には受信装置２０を使用（操作）しているユーザの情報、ネットワーク３及び、制御線４で接続されている被制御機器４０の情報などが記録されている。
ユーザ情報は、受信装置２０を使用しているユーザによって入力されるユーザ名、自動的に割り振られるユーザＩＤ、ユーザによって設定される使用権レベルと、視聴権レベルで構成される。使用権レベルと視聴権レベルは、それぞれ許可、交渉、拒絶の３つのレベルをもつ値である。使用権レベルと視聴権レベルについては、後で詳しく説明する。ユーザ情報はリモコン２を操作して、変更することができる。
【００２２】
被制御機器情報は、ネットワーク３及び、制御線４で接続されている被制御機器４０の機器名、被制御機器４０がユニークに持っている機器ＩＤ、機器使用権と、機器視聴権で構成される。機器使用権と機器視聴権は、それぞれ有、無の２つの状態を表す値で、初期値は無である。機器使用権を持っているユーザは、被制御機器４０を操作することができる。機器視聴権を持っているユーザは、他のユーザが被制御機器４０を使用していても、再生中のＡＶデータを視聴することができるものである。
【００２３】
ＧＵＩ画面合成部２４は、制御データ管理部２２からの情報をもとに、ネットワーク３に接続されている被制御機器４０の情報を表示したり、ユーザの情報を入力したりするために文字入力や項目選択ができるＧＵＩを生成し、ＡＶデータ受信部２７から送られたＡＶデータに合成する。ＧＵＩの合成されたＡＶデータはＡＶデータ出力部２５へ送られる。
ＡＶデータ出力部２５から、前記のＧＵＩの合成されたＡＶデータが表示装置１０に出力される。ユーザは表示装置１０に表示されたＧＵＩを見ながら、リモコン２を操作し、所望の入力を行うことができる。
【００２４】
制御データ送受信部２６は、制御データ管理部２２とネットワーク送受信部２８の間で制御データをやり取りする。
ＡＶデータ受信部２７は、ネットワーク送受信部２８よりＡＶデータを受け取る。
ネットワーク送受信部２８は、ネットワーク３を介して、送信装置３０や他の受信装置２０と制御データの送受信を行う。制御データの受け渡しは制御データ送受信部２６と行う。また、送信装置３０よりＡＶデータを受信し、ＡＶデータ受信部２７に送る。
【００２５】
次に、ｒｏｏｍＤに配設される送信装置３０および被制御機器４０を説明する。・・図３参照
図３は、送信装置３０および被制御機器４０の構成を説明したブロック図である。
まず、送信装置３０を詳細に説明する。
ネットワーク３を介して受信装置２０に連絡するネットワーク送受信部３１は、受信装置２０とネットワーク３を介して制御データの送受信を行う。制御データの受け渡しは制御データ送受信部３２と行う。また、ＡＶデータ送信部３６から受け取ったＡＶデータを、受信装置２０へ送信する。
制御データ送受信部３２は、制御データ管理部３３とネットワーク送受信部３１の間で制御データをやり取りする。
制御データ管理部３３は、送信装置情報記録部３４へ入力データの書き込みを行い、被制御機器４０への制御データを制御データ入出力部３５に送り、送信装置情報記録部３４から必要なデータの読み出しを行い、制御データとして制御データ送受信部３２に送る。
【００２６】
送信装置情報記録部３４には、図５に示すような、制御線４で接続されている被制御機器４０の情報や、現在、被制御機器４０を使用しているユーザの情報、被制御機器４０から伝送されるＡＶデータを視聴しているユーザの情報などが記録されている。
機器情報は、制御線４で接続されている被制御機器４０の機器名、被制御機器４０がユニークに持っている機器ＩＤで構成される。
使用ユーザ情報は、機器情報に記録された被制御機器４０を使用しているユーザのユーザ名、ユーザＩＤ、使用権レベル、及び視聴権レベルで構成される。
視聴ユーザ情報は、機器情報に記録された被制御機器４０から伝送されるＡＶデータを視聴しているユーザのユーザ名、ユーザＩＤ、使用権レベル、及び視聴権レベルで構成される。機器情報としては、被制御機器名・被制御機器ＩＤなど、使用ユーザの情報としては、ユーザ名・ユーザＩＤ・使用権レベル・視聴権レベルなどである。
【００２７】
制御データ入出力部３５は、制御線４を介して被制御機器４０と制御データの送受信を行う。制御データの受け渡しは制御データ管理部３３と行う。
ＡＶデータ送信部３６は、ＡＶデータ入力部３７から受け取ったＡＶデータを、ネットワーク送受信部３１に送る。
ＡＶデータ入力部３７は、被制御機器４０よりＡＶデータを受信し、ＡＶデータ送信部３６に送る。
【００２８】
次に被制御機器４０について詳細に説明する。
被制御機器４０の制御データ入出力部４１は、制御線４を介して送信装置３０と制御データの送受信を行う。制御データの受け渡しは制御データ管理部４２と行う。
制御データ管理部４２は、機器情報記録部４３から機器情報データの読み出しを行い、制御データとして制御データ入出力部４１に送り、また、制御データ入出力部４１から受け取った制御データを、制御コマンドに変換してＡＶデータ再生部４５に送る。
機器情報記録部４３には、機器情報が格納されている。格納される機器情報として、被制御機器名、被制御機器ＩＤなどがある。
ＡＶデータ出力部４４は、ＡＶデータ再生部４５よりＡＶデータを受信し、送信装置３０に出力する。
ＡＶデータ再生部４５は、制御データ管理部４２からの制御コマンドに従い、ＡＶデータ記録部４６のＡＶデータの再生を行う。
ＡＶデータ記録部４６には、ＡＶデータが記録されている。
【００２９】
このように構成されるネットワーク機器制御システムの操作を説明する。
被制御機器４０の機器情報を送信装置３０に登録する際の手順・・図６参照。
まず、被制御機器４０と送信装置３０とが制御線４で接続されると、被制御機器４０は機器情報を送信装置３０に送る。送信装置３０は、被制御機器情報を送信装置情報記録部３４に登録し、登録されたことを通知する確認通知を被制御機器４０へ送る。
【００３０】
受信装置２０がネットワーク３および制御線４を介して接続されている被制御機器４０の情報を得る手順・・図7参照。
たとえばｒｏｏｍＡの受信装置２０ａは、一定時間ごとに機器情報要求を送信装置３０に伝送する。送信装置３０は、送信装置情報記録部３４に登録されている被制御機器情報を読み出す。読み出した接続機器情報を受信装置２０ａへ送信する。受信装置２０ａは、その情報を受信装置情報記録部２３に記録する。
【００３１】
次に機器使用権、およびＡＶデータ視聴に関する手順について説明する。
（１）被制御機器４０の使用権を要求する際の手順。
（１−１）被制御機器４０を使用しているユーザがない場合・・図８参照
まず、ユーザＡは受信装置２０ａから操作可能な被操作装置４０の情報を確認する。図１８Ａは、ユーザＡに提示されるＧＵＩ画面の例である。各ボタンは、ユーザの使用権、視聴権の有無によって選択できるものと、選択できないものがある。
次に、ユーザＡはリモコン２ａを操作し、被制御機器４０の使用権を要求する。受信装置２０ａは、その要求に受信装置情報記録部２３に記録されているユーザ情報を加えた機器使用要求を送信装置３０へ送信する。送信装置３０は、送信装置情報記録部３４に記録されている情報から機器の使用状態を判別する。この例では、被制御機器４０を使用しているユーザがいないので、このとき、ユーザＡのユーザ情報が送信装置情報記録部３４に登録される。その後、使用権獲得通知が受信装置２０ａへ送信される。受信装置２０ａは使用権獲得通知を受け取ると、受信装置情報記録部２３に記録されている機器情報のうち機器使用権と機器視聴権を「有」に変更する。図１８Ｂは、ユーザＡに提示されるＧＵＩ画面の例である。
【００３２】
次に、被制御機器４０の使用権を放棄する際の手順を説明する・・図９参照。
まず、ユーザＡはリモコン２ａを操作し、被制御機器４０の使用権を放棄する。図１８Ｃは、ユーザＡに提示されるＧＵＩ画面の例である。
受信装置２０ａは、その要求に受信装置情報記録部２３に記録されているユーザ情報を加え、送信装置３０へ送信する。送信装置３０は、送信装置情報記録部３４に記録されている情報から機器の使用状態を判別する。被制御機器４０を使用しているユーザがユーザＡの場合、送信装置情報記録部３４の使用ユーザ情報が削除される。その後、使用権放棄通知が受信装置２０ａへ送信される。受信装置２０ａは使用権放棄通知を受け取ると、受信装置情報記録部２３に記録されている機器情報のうち機器使用権と機器視聴権を初期設定である「無」に変更する。図１８Ｄは、ユーザＡに提示されるＧＵＩ画面の例である。
以上のように、ユーザが積極的に機器の使用権の放棄を操作により実行する以外に、機器使用権の放棄は、ユーザが一定時間ＡＶデータを再生していない状態が続いたときに、自動的に行われる設定としてもよい。
【００３３】
（１−２）被制御機器４０を使用しているユーザがいる場合
（１−２−１）ユーザ情報の使用権レベルが「拒否」となっている場合・・図１０参照。
前記の例のように、ユーザＡが被制御機器４０の使用権を要求すると、送信装置３０は機器の使用状態を判別する。この例では、受信装置２０ｂを使って他のユーザＢ（じろう）が被制御機器４０を使用している場合を示している。このとき、送信装置情報記録部３４に記録されているユーザ情報の使用権レベルが「拒否」となっているので、使用拒否通知が受信装置２０ａへ送信される。受信装置２０ａは使用拒否通知を受け取ると、受信装置情報記録部２３に記録されている機器情報のうち機器使用権を「無」に変更する。図１８Ｅは、ユーザＡに提示されるＧＵＩ画面の例である。
【００３４】
（１−２−２）ユーザ情報の使用権レベルが「交渉」となっている場合
Ｉ  被制御機器４０の使用が拒否される場合・・図１１参照。
前記の例のように、ユーザＡが被制御機器４０の使用権を要求すると、送信装置３０は機器の使用状態を判別する。この例では、受信装置２０ｂを使用してユーザＢ（じろう）が被制御機器４０を利用している場合を示している。このとき、送信装置情報記録部３４に記録されているユーザ情報の使用権レベルが「交渉」となっているので、使用中ユーザ情報が受信装置２０ａへ送信される。図１８Ｆは、ユーザＡに提示されるＧＵＩ画面の例である。
ユーザＡがリモコン２ａを操作し、被制御機器４０の使用権を要求すると、受信装置２０ａは、前記の使用中ユーザ情報に含まれるユーザＩＤを持つ受信装置２０ｂへ、ユーザＡのユーザ情報を含む使用権譲渡要求を送る。図１８Ｇは、ユーザＢに提示されるＧＵＩ画面の例である。
ユーザＢがリモコン２ｂを操作し、使用権の譲渡を拒否すると、使用拒否通知が受信装置２０ａへ送信される。受信装置２０ａは使用拒否通知を受け取ると、受信装置情報記録部２３に記録されている機器情報のうち機器使用権を「無」に変更する。図１８Ｅは、ユーザＡに提示されるＧＵＩ画面の例である。
【００３５】
ＩＩ  被制御機器４０の使用が許可される場合・・図１２参照。
前記の例と同様に、ユーザＡが使用権譲渡要求を、被制御機器４０を使用中の受信装置２０ｂへ送る。受信装置２０ｂを使用中のユーザＢがリモコン２ｂを操作し、使用権の譲渡を許可すると、ユーザＡのユーザ情報を含む使用ユーザ情報更新要求が、送信装置３０へ送信される。送信装置３０は、送信装置情報記録部３４の使用ユーザ情報を確認して、被制御機器４０を使用しているユーザがユーザＢであると確認できた場合、ユーザＡのユーザ情報を送信装置情報記録部３４の使用ユーザ情報に登録する。
その後、使用権獲得通知が受信装置２０ａへ送信される。受信装置２０ａは使用権獲得通知を受け取ると、受信装置情報記録部２３に記録されている機器情報のうち機器使用権と機器視聴権を「有」に変更する。図１８Ｂは、ユーザＡに提示されるＧＵＩ画面の例である。
【００３６】
（１−２−３）ユーザ情報の使用権レベルが「許可」となっている場合・・図１３参照。
前記の例のように、ユーザＡが被制御機器４０の使用権を要求すると、送信装置３０は機器の使用状態を判別する。この例では、ユーザＢが受信装置２０ｂを用いて被制御機器４０を使用している場合を示している。このとき、送信装置情報記録部３４に記録されているユーザ情報の使用権レベルが「許可」なので、ユーザＡのユーザ情報を含む使用権放棄通知が受信装置２０ｂへ送信される。受信装置２０ｂは使用権放棄通知を受け取ると、受信装置情報記録部２３に記録されている機器情報のうち機器使用権と機器視聴権を「無」に変更する。図１８Ｈは、ユーザＢに提示されるＧＵＩ画面の例である。
その後、受信装置２０ｂは確認通知を送信装置３０に送る。送信装置３０は、ユーザＡのユーザ情報を送信装置情報記録部３４の使用ユーザ情報に登録する。その後、使用権獲得通知が受信装置２０ａへ送信される。受信装置２０ａは使用権獲得通知を受け取ると、受信装置情報記録部２３に記録されている機器情報のうち機器使用権と機器視聴権を「有」に変更する。図１８Ｈは、ユーザＡに提示されるＧＵＩ画面の例である。
【００３７】
（２）  ＡＶデータ視聴に関する手順について説明する。
ユーザは被制御機器４０の使用権がない場合でも、被制御機器４０を使用しているユーザに対して、再生しているＡＶデータの視聴の許可を要求することができる。
【００３８】
（２−１）ユーザ情報の視聴権レベルが「拒否」となっている場合・・図１４参照。
ユーザＡはリモコン２ａを操作し、被制御機器４０で再生中のＡＶデータの視聴権を要求する。受信装置２０ａは、その要求に受信装置情報記録部２３に記録されているユーザ情報を加え、送信装置３０へ送信する。送信装置３０は、送信装置情報記録部３４に記録されている情報から機器の使用状態を判別する。この例では、ユーザＢが受信装置２０ｂにより被制御機器４０を使用している場合を示している。このとき、送信装置情報記録部３４に記録されているユーザ情報の視聴権レベルが「拒否」なので、視聴拒否通知が受信装置２０ａへ送信される。受信装置２０ａは視聴拒否通知を受け取ると、受信装置情報記録部２３に記録されている機器情報のうち機器視聴権を「無」に変更する。図１８Ｉは、ユーザＡに提示されるＧＵＩ画面の例である。
このように、ユーザが「拒否」を設定することにより、他のユーザはＡＶデータの視聴が拒否される。
【００３９】
（２−２）  ユーザ情報の視聴権レベルが「交渉」となっている場合
（２−２−１）  交渉により拒否される場合・・図１５参照。
前記の例のように、ユーザＡが被制御機器４０で再生中のＡＶデータの視聴権を要求すると、送信装置３０は機器の使用状態を判別する。この例では、ユーザＢが被制御機器４０を使用している場合を示している。このとき、送信装置情報記録部３４に記録されているユーザ情報の視聴権レベルが「交渉」となっている。使用中のユーザ情報が受信装置２０ａへ送信される。図１８Ｊは、ユーザＡに提示されるＧＵＩ画面の例である。
ユーザＡがリモコン２ａを操作し、被制御機器４０で再生中のＡＶデータの視聴権を要求すると、受信装置２０ａは、前記の使用中ユーザ情報に含まれるユーザＩＤを持つ受信装置２０ｂへ、ユーザＡのユーザ情報を含む視聴許可要求を送る。図１８Ｋは、ユーザＢに提示されるＧＵＩ画面の例である。
ユーザＢがリモコン２ｂを操作し、視聴を拒否すると、視聴拒否通知が受信装置２０ａへ送信される。受信装置２０ａは視聴拒否通知を受け取ると、受信装置情報記録部２３に記録されている機器情報のうち機器視聴権を「無」に変更する。図１８Ｉは、ユーザＡに提示されるＧＵＩ画面の例である。
このように、再生しているデータの視聴はユーザが希望しても他のユーザとの交渉で拒否される。
【００４０】
（２−２−２）  交渉により許可される場合・・図１６参照。
前記の例と同様に、ユーザＡが視聴許可要求を、ユーザＢが使用中の被制御機器４０の受信装置２０ｂへ送った場合について説明する。
ユーザＢがリモコン２ｂを操作し、視聴を許可すると、ユーザＡのユーザ情報を含む視聴ユーザ情報更新要求が、送信装置３０へ送信される。送信装置３０は、送信装置情報記録部３４の使用ユーザ情報を確認して、被制御機器４０を使用しているユーザがユーザＢであると確認できた場合、ユーザＡのユーザ情報を送信装置情報記録部３４の視聴ユーザ情報に登録する。
その後、視聴権獲得通知が受信装置２０ａへ送信される。受信装置２０ａは視聴権獲得通知を受け取ると、受信装置情報記録部２３に記録されている機器情報のうち機器視聴権を「有」に変更する。図１８Ｌは、ユーザＡに提示されるＧＵＩ画面の例である。
このように、ユーザ情報の視聴権レベルを「交渉」とすることにより、他のユーザの視聴を選択できる。
【００４１】
（２−３）  ユーザ情報の視聴権レベルが「許可」となっている場合・・図１７参照。
ユーザＡが被制御機器４０で再生中のＡＶデータの視聴権を要求すると、送信装置３０は機器の使用状態を判別する。この例では、ユーザＢが受信装置２０ｂにより被制御機器４０を使用している場合を示している。このとき、送信装置情報記録部３４に記録されているユーザ情報の視聴権レベルが「許可」なので、ユーザＡのユーザ情報を送信装置情報記録部３４の視聴ユーザ情報に登録する。
その後、視聴権獲得通知が受信装置２０ａへ送信される。受信装置２０ａは視聴権獲得通知を受け取ると、受信装置情報記録部２３に記録されている機器情報のうち機器視聴権を「有」に変更する。図１８Ｌは、ユーザＡに提示されるＧＵＩ画面の例である。
このように、被制御機器の使用権がない場合であっても、他のユーザが再生しているＡＶデータの視聴ができる。
【００４２】
【発明の効果】
本発明のネットワーク機器制御システムでは、既に機器を使用しているユーザがいた場合でも、使用中のユーザの設定によっては、ユーザ間の交渉により機器の使用権を譲り受けることができる。さらに、既に機器を使用しているユーザが機器の使用権を譲らない場合においても、使用中のユーザの設定によっては、ユーザ間の交渉により再生中のＡＶデータを別のユーザが視聴することができる。
【図面の簡単な説明】
【図１】本発明の構成を説明するブロック図。
【図２】表示装置および受信装置のブロック図。
【図３】送信装置および被制御機器のブロック図。
【図４】受信装置情報記録部のデータ例。
【図５】送信装置情報記録部のデータ例。
【図６】機器情報登録の手順を示すシーケンス図。
【図７】機器情報取得の手順を示すシーケンス図。
【図８】機器使用権要求の手順を示すシーケンス図（他のユーザが使用していない場合）。
【図９】機器使用権放棄の手順を示すシーケンス図。
【図１０】機器使用権要求の手順を示すシーケンス図（他のユーザが使用拒絶の場合）。
【図１１】機器使用権要求の手順を示すシーケンス図（交渉の結果、使用拒絶の場合）。
【図１２】機器使用権要求の手順を示すシーケンス図（交渉の結果、使用許可の場合）。
【図１３】機器使用権要求の手順を示すシーケンス図（他のユーザが使用許可の場合）。
【図１４】ＡＶデータ視聴要求の手順を示すシーケンス図（他のユーザが視聴拒絶の場合）。
【図１５】ＡＶデータ視聴要求の手順を示すシーケンス図（交渉の結果、視聴拒絶の場合）。
【図１６】ＡＶデータ視聴要求の手順を示すシーケンス図（交渉の結果、視聴許可の場合）。
【図１７】ＡＶデータ視聴要求の手順を示すシーケンス図（他のユーザが視聴許可の場合）。
【図１８】ユーザに提示されるＧＵＩ画面の例。
【符号の説明】
１  赤外線
２  リモコン
３  ネットワーク
４  制御線
１０  表示装置
２０  受信装置
３０  送信装置
４０  被制御機器
【図１】
2004199454.tif 000003
【図２】
2004199454.tif 000004
【図３】
2004199454.tif 000005
【図４】
2004199454.tif 000006
【図５】
2004199454.tif 000007
【図６】
2004199454.tif 000008
【図７】
2004199454.tif 000009
【図８】
2004199454.tif 000010
【図９】
2004199454.tif 000011
【図１０】
2004199454.tif 000012
【図１１】
2004199454.tif 000013
【図１２】
2004199454.tif 000014
【図１３】
2004199454.tif 000015
【図１４】
2004199454.tif 000016
【図１５】
2004199454.tif 000017
【図１６】
2004199454.tif 000018
【図１７】
2004199454.tif 000019
【図１８】
2004199454.tif 000020